(57)【要約】【課題】  デジタル放送を受信するデジタル受信装置において、移動体の現在地に応じてユーザが容易に受信可能な放送局を判別することができるようにする。【解決手段】  デジタル受信装置１０は移動体に搭載され、少なくとも放送局名及び放送対象地域を示すＳＩ情報が付加されたデジタル放送を受信する。メモリ１９には放送局毎にＳＩ情報が記憶され、制御ＣＰＵ２０では、チャンネル一覧表示指示があると、メモリを検索してＳＩ情報中の放送局名及び放送対象地域を対としてモニターに一覧表示する。【選択図】        図１
2006115321.tif 000002
【特許請求の範囲】
【請求項１】
サービス情報が付加されたデジタル放送を受信するデジタル受信装置において、
放送局毎に前記サービス情報を記憶する記憶手段と、
放送局一覧表示指示があると前記記憶手段を検索して前記サービス情報中の放送局名及び放送対象地域を対として一覧表示する表示制御手段とを有することを特徴とするデジタル受信装置。
【請求項２】
表示制御手段は、現在視聴中のデジタル放送に付加された前記サービス情報からその放送対象地域を表示対象地域とする地域特定手段と、
前記表示対象地域を基準として当該表示対象地域と同一又は近接する放送対象地域を有するサービス情報を記憶手段から得て当該サービス情報から得られた放送局名及び放送対象地域を前記表示対象地域及び該表示対象地域に対応する放送局名とともに一覧画面を表示する画面生成手段とを有することを特徴とする請求項１記載のデジタル受信装置。
【請求項３】
記憶手段には、放送対象地域が近接する放送局名の順にソートされてサービス情報が記憶されるようにしたことを特徴とする請求項２記載のデジタル受信装置。
【請求項４】
画面生成手段は、予め規定された個数の放送局名及び放送対象地域の対を表示対象地域及び該表示対象地域に対応する放送局名の対とともに表示しており、スクロール指示を受けると記憶手段に記憶されたソート順に従って一覧画面をスクロールするようにしたことを特徴とする請求項３記載のデジタル受信装置。
【発明の詳細な説明】
【技術分野】
【０００１】
この発明は、デジタル放送を受信するデジタル受信装置に関し、特に、移動体に搭載されてユーザが容易に移動体の現在地に応じて放送局を選択することのできる放送局一覧を表示することのできるデジタル受信装置に関するものである。
【背景技術】
【０００２】
一般に、デジタル放送（例えば、地上デジタル放送）においては、一つの放送局から送信されるデジタル放送波（トランスポートストリーム（Ｔｒａｎｓｐｏｒｔ  Ｓｔｒｅａｍ：ＴＳ）には少なくとも一つの放送サービスが含まれており、このＴＳには、映像信号及び音声信号の他に、放送周波数（送信チャンネル番号）、放送局名、番組情報（例えば、番組名、番組毎の放送時間、及び番組概要）、及び放送対象地域（送信エリア）等の付加情報が含まれている。そして、この付加情報はＳＩ（Ｓｅｒｖｉｃｅ  Ｉｎｆｏｒｍａｔｉｏｎ）情報と呼ばれている。
【０００３】
このようなデジタル放送を受信するデジタル受信装置では、メモリにＳＩ情報を蓄積しておき、受信可能な放送サービス一覧をモニターに表示するとともに、選択的に放送サービス毎の番組表を生成してモニターに表示するようにしている。そして、ユーザがデジタル放送を受信する際には、放送サービス一覧及び／又は番組表を参照して所望の放送サービス（放送チャンネル）を選局するようにしている。
【０００４】
ところで、固定的に配置されたデジタル受信装置においては、当該デジタル受信装置が設置された位置で受信可能な放送局は限られており、このようなデジタル受信装置において、上述の放送サービス一覧及び番組表を表示する際には、放送サービス一覧又は番組表で表示される情報量は少なくて済む。このため、ユーザが所望の放送サービスを選局する際には、短時間で容易に放送サービスを選局することができることになる。
【０００５】
一方、移動体に搭載されたデジタル受信装置では、移動体の移動に応じて受信可能な放送局が変わるため、ユーザが所望の放送サービスを選局する際には、全国の放送局を網羅した放送サービス一覧及び／又は番組表をモニターに表示しなければならず、このような多量の情報からユーザが移動体の位置に応じて放送局を選択して所望の放送サービスを選局するには時間が掛かってしまい、結果的に選局に非常に手間が掛かってしまうことになる。
【０００６】
一方、テレビジョンデジタル受信装置において、チャンネルプリセットを容易にかつ確実に行って、選局の際にチャンネルを誤ることがないようにするため、チャンネルプリセットモードが指示されると、画面上に放送エリアを限定するために必要な情報を表示して、ユーザが画面上で対話式にエリアを限定すると、最終的に限定された地域に対応した放送局チャンネルを予め登録してあるエリア別放送局一覧から自動的に選択して、選択した放送局チャンネルの選局電圧をチャンネルポジションに対応させて自動的にメモリにプリセットするようにしたものがある（例えば、特許文献１参照）。
【０００７】
【特許文献１】特開平９−６５２２７号公報（第６頁〜第７頁、第１図〜第２図）
【発明の開示】
【発明が解決しようとする課題】
【０００８】
従来のデジタル受信装置は以上のように構成されているので、ユーザがチャンネルプリセットを行うことは容易であるものの、移動体に搭載されたデジタル受信装置のように移動体の移動に応じて受信可能な放送局が変わると、その都度プリセットを行わなければならず、ユーザにとって極めて煩わしいとものとなってしまう。
【０００９】
さらに、従来のデジタル受信装置においては、画面上に放送エリアを限定するために必要な情報を表示されているものの、この情報はプリセットの際に放送エリアを限定するために用いられているだけで、移動体に搭載されたデジタル受信装置のように移動しつつ、デジタル放送を受信するデジタル受信装置においては、放送サービス一覧が表示されてもその放送局がいずれの放送エリアを有するかユーザが判別することができないことがあり、その結果、ユーザは移動体の位置に応じて、受信可能な放送局を簡単に選択することができないという課題があった。
【００１０】
この発明は上記のような課題を解決するためになされたもので、移動体の現在地に応じてユーザが容易に受信可能な放送局を判別することのできるデジタル受信装置を得ることを目的とする。
【課題を解決するための手段】
【００１１】
この発明に係るデジタル受信装置は、放送局毎にサービス情報を記憶する記憶手段と、放送局一覧表示指示があると記憶手段を検索してサービス情報中の放送局名及び放送対象地域を対として一覧表示する表示制御手段とを有することを特徴とする。
【発明の効果】
【００１２】
この発明によれば、放送局一覧表示指示があると、記憶手段を検索してサービス情報中の放送局名及び放送対象地域を対として一覧表示するようにしたので、ユーザは現在視聴中のデジタル放送に係る放送対象地域と一覧表示された放送局名及び放送対象地域とを対比して、受信可能な放送局を選択することができ、その結果、移動体の現在地に応じてユーザは容易に受信可能な放送局を判別することができるという効果がある。
【発明を実施するための最良の形態】
【００１３】
実施の形態１．
図１は本発明の実施の形態１によるデジタル受信装置の一例を示すブロック図であり、図示のデジタル受信装置は地上デジタル放送を受信するためのデジタル受信装置である。地上デジタル放送においては、一つの放送局（図示せず）からは一つのデジタル放送波が送信されており、このデジタル放送波はトランスポートストリーム（Ｔｒａｎｓｐｏｒｔ  Ｓｔｒｅａｍ：ＴＳ）と呼ばれる。そして、一つのＴＳには少なくとも一つの放送サービスが含まれており、各放送サービスにはサービス識別番号（ｓｅｒｖｉｃｅ＿ｉｄ）が付与されている。
【００１４】
地上デジタル放送では、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いており、ＴＳには、デジタル映像信号（ビデオストリーム）、デジタル音声信号（オーディオストリーム）、及びサービス情報（Ｓｅｒｖｉｃｅ  Ｉｎｆｏｒｍａｔｉｏｎ：ＳＩ情報）が含まれ、このＳＩ情報には、例えば、ＴＳ＿ＩＤ、送信チャンネル（３桁の番号）、放送局名、番組情報、及び放送対象地域等を示すデータが含まれている（例えば、ＳＩ情報中のＮＩＴ（Ｎｅｔｗｏｒｋ  Ｉｎｆｏｒｍａｔｉｏｎ  ｔａｂｌｅ）に含まれるサービスリスト記述子中のＳｅｒｖｉｃｅ＿ｉｄに含まれる地域識別子によって放送対象地域が判別される。なお、Ｓｅｒｖｉｃｅ＿ｉｄには後述する地域事業者識別子が含まれている）。
【００１５】
図１において、デジタル受信装置１０は、チューナ１１、直交周波数分割多重（ＯＦＤＭ）復調部１２、デマルチプレクサ１３、オーディオデコーダ１４、ビデオデコーダ１５、音声制御部１６、映像制御部１７、ＧＵＩ（Ｇｒａｐｈｉｃ  Ｕｓｅｒ  Ｉｎｔｅｒｆａｃｅ）部１８、メモリ（記憶手段）１９、制御ＣＰＵ２０、及びリモコン制御部２１を備えている。チューナ１１で選局されたチャンネルの放送サービスに係るデジタル放送波はアンテナ２２を介して受信され、チューナ１１において選局対象であるデジタル放送波の周波数成分が抽出されて、ＯＦＤＭ復調部１２においてデジタル信号に復調され、ＴＳとしてデマルチプレクサ１３に与えられる。
【００１６】
デマルチプレクサ１３では、ＴＳからオーディオストリーム、ビデオストリーム、及びＳＩ情報を分離して、これらオーディオストリーム、ビデオストリーム、及びＳＩ情報をそれぞれオーディオデコーダ１４、ビデオデコーダ１５、制御ＣＰＵ２０に与える。オーディオデコーダ１４ではオーディオストリームをデコードして、オーディオ復号化信号として音声制御部１６に与える。そして、音声制御部１６ではオーディオ復号化信号をアナログ音声信号として出力する。
【００１７】
同様にして、ビデオデコーダ１５ではビデオストリームをデコードして、ビデオ復号化信号として映像制御部１７に与える。そして、映像制御部１７ではビデオ復号化信号をアナログビデオ信号とする。一方、制御ＣＰＵ２０では、ＳＩ情報から番組情報を抽出して、この番組情報をＧＵＩ部１８に渡す。ＧＵＩ部１８では、例えば、番組情報に応じて放送番組表を生成し、この放送番組表を映像制御部１７に与える。映像制御部１７では前述のアナログビデオ信号と放送番組表を合成して合成信号として出力することになる。
【００１８】
また、制御ＣＰＵ２０では、ＳＩ情報から抽出したＴＳ＿ＩＤ、送信チャネル、放送局名、及び放送対象地域を表すデータをメモリ１９に保存することになる。なお、ユーザが選局の際リモコン（図示せず）を操作すると、その選局コマンドがリモコン制御部２１から制御ＣＰＵ２０に与えられて、制御ＣＰＵ２０は選局コマンドに応じてチューナ１１又はＧＵＩ部１８を制御してチューナ１１によって選局を行い、ＧＵＩ部１８によって前述したように放送番組表を合成する（また、ＧＵＩ部１８によってメニュー画面が生成される）。
【００１９】
さらに、ＯＦＤＭ復調部１２、デマルチプレクサ１３、オーディオデコーダ１４、ビデオデコーダ１５、音声制御部１６、及び映像制御部１７は、リモコン制御部２１から制御ＣＰＵ２０に与えられる制御コマンドによって制御される。
【００２０】
また、図示のデジタル受信装置１０は、スクロール機能を有しており、このスクロール機能によって、モニター（図示せず）に表示される放送番組表をスクロール表示し、ユーザはモニターに表示される放送サービス一覧（チャンネル一覧）及び／又は放送番組表を参照して、所望の放送サービスを選局することになる。
【００２１】
図２は制御ＣＰＵ２０の構成の一例を示すブロック図であり、制御ＣＰＵ２０は、ＳＩ取得／書き込み／読み出し部２０ａ、ＳＩ解析部２０ｂ、チャンネル一覧画面作成部２０ｃ、チャンネル一覧データ作成部２０ｄ、及びリモコンキー解読部２０ｅを有しており、地上デジタル放送の視聴中に取得したＳＩ情報は、ＳＩ取得／書き込み／読み出し部２０ａによって、ＴＳ毎にメモリ１９に保存される。さらに、デジタル受信装置１０がスタンバイ状態の際においても、各放送局をスキャンして取得したＳＩ情報がＳＩ取得／書き込み／読み出し部２０ａによってメモリ１９にＴＳ毎に保存される。このようにして、メモリ１９にはＴＳ毎のＳＩ情報が保存されることになる。
【００２２】
なお、ＳＩ取得／書き込み／読み出し部２０ａでは、ＳＩ情報を前述のＳｅｒｖｉｃｅ＿ｉｄに基づいてソートしてメモリ１９に格納する。前述のように、Ｓｅｒｖｉｃｅ＿ｉｄには地域識別子及び地域事業者識別子が含まれており、地域識別子は放送対象地域を識別するための識別子あって、例えば、放送対象地域が関東広域である際には、地域識別子＝１となる。また、放送対象地域が近畿広域である際には、地域識別子＝２となり、放送対象地域が東京である際には、地域識別子＝２３、放送対象地域が大阪である際には、地域識別子＝４０となる。このように、地域識別子は広域又は都道府県毎に固有の値が割り振られている。
【００２３】
一方、地域事業者識別子は、同一の地域識別子を有する放送事業者を識別するための識別子であって、例えば、地域識別子＝１（関東広域）の放送局を有する放送事業者には、地域事業者識別子として固有の値が割り振られている（例えば、○○総合＝０、○○教育＝１、××テレビ＝４というように地域事業者識別子が割り当てられる）。
【００２４】
ＳＩ取得／書き込み／読み出し部２０ａでは、まず地域識別子を用いて地理的に近接した放送対象領域の順にＳＩ情報を並べる（例えば、北海道、青森の順にＳＩ情報を並べ替える）。この際、放送対象地域が広域であると、当該ＳＩ情報を関連する都道府県の前又は後に位置付ける。そして、同一の地域識別子を有するＳＩ情報を地域事業者識別子に応じてその順に並べ替えて、ＳＩ情報をメモリ１９に格納する。
【００２５】
そして、ユーザのリモコン操作によって、チャンネル一覧表示指示コマンドがリモコン制御部２１から制御ＣＰＵ２０に与えられると、後述するようにして、制御ＣＰＵ２０はチャンネル一覧画面を生成して、ＧＵＩ１８を介してモニター上に表示することになる。
【００２６】
次に動作について説明する。
図２及び図３を参照して、リモコンキー解読部２０ｅではリモコン制御部２１から与えられるキー操作情報を解読しており、いま、ユーザがリモコンキー操作によって、チャンネル一覧表示指示コマンドを入力すると、チャンネル一覧表示指示コマンドがリモコン制御部２１から制御ＣＰＵ２０に与えられ、リモコンキー解読部２０ｅでチャンネル一覧表示指示コマンドが検知されると（つまり、チャンネル一覧表示指示があったと判定すると（ステップＳＴ１））、リモコンキー解読部２０ｅからチャンネル一覧表示指示検知信号がＳＩ解析部２０ｂに与えられる。これによって、ＳＩ解析部２０ｂでは取得／書き込み／読み出し部２０ａを介して現在視聴中のＴＳに係るＳＩ情報を得る。
【００２７】
ＳＩ解析部２０ｂでは現在視聴中のＴＳに係るＳＩ情報から放送対象地域（以下この放送対象地域を現在放送対象地域と呼ぶ）を検出して（ステップＳＴ２）、この現在放送対象地域を表示対象地域として指定する（ステップＳＴ３）。続いて、ＳＩ解析部２０ｂでは、ＳＩ取得／書き込み／読み出し部２０ａを介してメモリ１９をアクセスして、表示対象地域を基準としてメモリ１９中に前述のようにしてソートされたＳＩ情報を読み出す。つまり、表示対象地域に最も近い放送対象地域を有するＳＩ情報を順次メモリ１９から読み出すことになる（なお、メモリ１９から全てのＳＩ情報を読み出すようにしてもよいが、表示対象地域を基準として予め設定された個数のＳＩ情報を読み出すようにすることが望ましい）。
【００２８】
上述のようにして読み出されたＳＩ情報はＳＩ解析部２０ｂからチャンネル一覧データ作成部２０ｅに渡されて、チャンネル一覧データ作成部２０ｄでは、読み出されたＳＩ情報に基づいて、例えば、ＴＳ＿ＩＤ、チャンネル番号に相当する三桁の番号、放送局名、及び放送対象地域を抽出して、チャンネル一覧データに順次追加する（ステップＳＴ４）。そして、このチャンネル一覧データは、チャンネル一覧データ作成部２０ｄからチャンネル一覧画面作成部２０ｃに与えられて、チャンネル一覧画面作成部２０ｃはチャンネル一覧データに応じてチャンネル一覧画面を生成する（ステップＳＴ５）。そして、このチャンネル一覧画面はＧＵＩ部１８を介してモニターに表示され、ステップＳＴ１に戻る。
【００２９】
図４はチャンネル一覧画面の一例を示す図であり、ここでは、チャンネル一覧画面には放送局名（例えば、○○総合・大阪１、○○教育・大阪１、××放送１、テレビ□□１、△△テレビ１が放送局名である）が表示されるとともに、各放送局に対応付けて放送対象地域（例えば、近畿広域、大阪、兵庫が放送対象地域である）が表示される。図示の例では、現在視聴中のＴＳは○○総合・大阪１であるので、その放送対象領域が近畿広域である放送局から順にチャンネル一覧画面に表示されることになる。
【００３０】
なお、ユーザがリモコンのスクロールボタンを操作すると、後述するようにして、チャンネル一覧画面が上方向又は下方向にスクロールされて、別の放送局名と放送対象地域との組が表れることになる（チャンネル一覧画面をスクロールする際には、チャンネル一覧画面上に表示されたスクロールボタン３１をタッチしてスクロールを行うようにしてもよい）。
【００３１】
一方、ステップＳＴ１において、チャンネル一覧表示指示がないと、リモコンキー解読部２０ｅでは、チャンネル一覧消去指示コマンドが入力されたか否かを監視して（ステップＳＴ６）、チャンネル一覧消去指示コマンドが検知されると、リモコンキー解読部２０ｅからチャンネル一覧消去指示検知信号がＳＩ解析部２０ｂに与えられる。これによって、ＳＩ解析部２０ｂではチャンネル一覧データ作成部２０ｄ及びチャンネル一覧画面作成部２０ｃを介してＧＵＩ部１８によってチャンネル一覧画面を消去して（ステップＳＴ７）、ステップＳＴ１に戻る。
【００３２】
ステップＳＴ６において、チャンネル一覧消去指示コマンドの入力がないと、リモコンキー解読部２０ｅでは、リモコンのスクロールキー（上下キー）が操作されたか否かを監視して（ステップＳＴ８）、スクロールキーの操作を検知すると、リモコンキー解読部２０ｅから表示更新指示検知信号がＳＩ解析部２０ｂに与えられる。
【００３３】
これによって、ＳＩ解析部２０ｂではＳＩ取得／書き込み／読み出し部２０ａを制御してメモリ１９をアクセスして、現在チャンネル一覧画面で表示中の放送対象地域に隣接する放送対象地域を有するＳＩ情報を得る。つまり、現在チャンネル一覧画面で表示中のＳＩ情報の前後に位置するＳＩ情報をメモリ１９から読み出して、チャンネル一覧データ作成部２０ｄに与える。これによって、チャンネル一覧データ作成部２０ｄでは前述したようにしてチャンネル一覧データを更新する（ステップＳＴ９）。なお、上キーを操作すると、現在チャンネル一覧画面で表示中のＳＩ情報の前に位置するＳＩ情報がメモリ１９から読み出され、下キーを操作すると、現在チャンネル一覧画面で表示中のＳＩ情報の後に位置するＳＩ情報がメモリ１９から読み出されることになる。
【００３４】
そして、ステップＳＴ９に続いてステップＳＴ５が行われて、更新されたチャンネル一覧画面が表示されることになる。つまり、チャンネル一覧画面がスクロールされることになる。
【００３５】
このようにして、現在視聴中のＴＳに係る放送局名と放送対象地域とを先頭に表示して、この放送対象地域に近接する放送対象地域を有する放送局名と放送対象地域とを組として順次表示するようにしたから、ユーザは容易に放送局の放送対象地域を判別することができ、現在視聴中のＴＳに係る放送局と放送対象地域とを対比すれば、現在、デジタル受信装置１０で受信可能な放送局を簡単に見つけることができることになる（つまり、チャンネル一覧画面中の放送対象地域を見れば、容易に現在地で受信可能な放送局を判別することができることになる）。
【００３６】
なお、チャンネル一覧画面で示された放送局の何れかを選択すると、当該放送局に対応するＳＩ情報に含まれる番組表を表示するようにしてもよい。上述の説明から明らかなように、ＳＩ取得／書き込み／読み出し部２０ａ、ＳＩ解析部２０ｂ、チャンネル一覧画面作成部２０ｃ、チャンネル一覧データ作成部２０ｄ、及びリモコンキー解読部２０ｅが集合的に表示制御手段として機能し、さらに、ＳＩ解析部２０ｂが地域特定手段として機能し、ＳＩ取得／書き込み／読み出し部２０ａ、ＳＩ解析部２０ｂ、チャンネル一覧画面作成部２０ｃ、及びチャンネル一覧データ作成部２０ｄが画面生成手段として機能することになる。
【００３７】
以上のように、この実施の形態１によれば、チャンネル一覧表示指示があると、メモリを検索してＳＩ情報中の放送局名及び放送対象地域を対として一覧表示するように構成したので、ユーザは現在視聴中のデジタル放送に係る放送対象地域と一覧表示された放送局名及び放送対象地域とを対比して、受信可能な放送局（つまり、ＴＳ）を選択することができ、移動体の現在地に応じてユーザは容易に受信可能な放送局を判別することができるという効果がある。
【００３８】
この実施の形態１によれば、現在視聴中のデジタル放送に付加されたＳＩ情報からその放送対象地域を表示対象地域として、表示対象地域を基準として当該表示対象地域と同一又は近接する放送対象地域を有するＳＩ情報をメモリから得て当該ＳＩ情報から得られた放送局名及び放送対象地域を表示対象地域及びこの表示対象地域に対応する放送局名とともに一覧画面を表示するように構成したので、ユーザは表示対象地域と同一又は近接する放送対象地域の放送局が受信可能であると容易に判別できるという効果がある。
【００３９】
この実施の形態１によれば、予め規定された個数の放送局名及び放送対象地域の対を表示対象地域及び表示対象地域に対応する放送局名の対とともに表示して、スクロール指示を受けるとメモリに記憶されたソート順に従って一覧画面をスクロールするように構成したので、ユーザは表示対象地域と同一又は近接する放送対象地域を有する放送局から順次チャネル一覧画面を閲覧しつつチャンネル一覧画面を更新できるという効果がある。
【図面の簡単な説明】
【００４０】
【図１】この発明の実施の形態１によるデジタル受信装置の構成を示すブロック図である。
【図２】図１に示すデジタル受信装置中の制御ＣＰＵの一例を詳細に示すブロック図である。
【図３】図１に示すデジタル受信装置の動作の一例を説明するためのフローチャートである。
【図４】図２に示すチャンネル一覧画面作成部で生成されるチャンネル一覧画面の一例を示す図である。
【符号の説明】
【００４１】
１０  デジタル受信装置、１１  チューナ、１２  直交周波数分割多重（ＯＦＤＭ）復調部、１３  デマルチプレクサ、１４  オーディオデコーダ、１５  ビデオデコーダ、１６  音声制御部、１７  映像制御部、１８  ＧＵＩ（Ｇｒａｐｈｉｃ  Ｕｓｅｒ  Ｉｎｔｅｒｆａｃｅ）部、１９  メモリ、２０  制御ＣＰＵ、２０ａ  ＳＩ／取得／書き込み／読み出し部、２０ｂ  ＳＩ解析部、２０ｃ  チャンネル一覧画面作成部、２０ｄ  チャンネル一覧データ作成部、２０ｅ  リモコンキー解析部、２１  リモコン制御部、２２  アンテナ。
【図１】
2006115321.tif 000003
【図２】
2006115321.tif 000004
【図３】
2006115321.tif 000005
【図４】
2006115321.tif 000006